(57)【要約】      （修正有）【課題】手術後の医療用器具を安全に処置し、管理することができる使用済み医療用器具収納器の提供。【解決手段】底部材（１０１ａ）と蓋部材（１０１ｂ）とからなる支持体（１０１）を有し、この支持体の底部材の表面上に、第１粘着剤層（１０２）、スポンジ層（１０３）、第２粘着剤層（１０４）、不織布層（１０５）、使用済み医療用器具が載置される第３粘着剤層（１０６）、及び第１剥離紙層（１０７）をこの順番に設けてなる積層体を有し、この積層体の最上層の第１剥離紙層（１０７）の上に蓋部材（１０１ｂ）が設けられており、支持体（１０１）は、同じ形状かつ同じ大きさの底部材と蓋部材とからなる長方形形状であって、その底部材と蓋部材との間に二つ折りできるように設けられた折り目を有し、この折り目により二つ折りできるように構成され、この二つ折りした一方を底部材（１０１ａ）とし、他方を蓋部材（１０１ｂ）とする支持体である。【選択図】図１
2018082935.tif 000002
【特許請求の範囲】
【請求項１】
底部材と蓋部材とからなる支持体を有し、この支持体の底部材の表面上に、第１粘着剤層、スポンジ層、第２粘着剤層、不織布層、使用済み医療用器具が載置される第３粘着剤層、及び第１剥離紙層をこの順番に設けてなる積層体を有し、この積層体の最上層の第１剥離紙層の上に前記蓋部材が設けられており、前記支持体は、同じ形状かつ同じ大きさの前記底部材と蓋部材とからなる長方形形状であって、その底部材と蓋部材との間に二つ折りできるように設けられた折り目を有し、この折り目により前記支持体を二つ折りできるように構成され、この二つ折りした一方を前記底部材とし、他方を前記蓋部材とする支持体であり、前記蓋部材で前記第１剥離紙層が覆われるように構成されてなり、前記第３粘着剤層の、前記折り目が設けられた側の辺に向かい合った辺の少なくとも１つの隅部の粘着剤層上にこの隅部と同じ寸法の紙層を設けてなり、そして前記第１剥離紙層には、前記紙層を設けた隅部に対応する前記第１剥離紙層の隅部が前記第３粘着剤層に対して反対側に折り曲げられた折り曲げ部であって、前記第１剥離紙層を剥がすための把持部分を構成する折り曲げ部を設けてなり、さらに前記底部材の下表面の少なくとも一部に第４粘着剤層を設け、この第４粘着剤層の下表面に第２剥離紙層を設けてなることを特徴とする使用済み医療用器具収納器。
【請求項２】
前記第２剥離紙層の寸法を、前記第４粘着剤層の寸法よりも大きくして、その第２剥離紙層の一部が、前記底部材の一辺から突出するように構成されてなることを特徴とする請求項１に記載の使用済み医療用器具収納器。
【請求項３】
前記支持体が、透光性ないしは透明のプラスチックから構成されていることを特徴とする請求項１又は２に記載の使用済み医療用器具収納器。
【請求項４】
前記第３粘着剤層の隅部、その上に貼付した紙層、及び第１剥離紙層の折り曲げ部が、三角形状であることを特徴とする請求項１〜３のいずれか１項に記載の使用済み医療用器具収納器。
【請求項５】
前記不織布層の上で前記第３粘着剤層の下に、載置される使用済み医療用器具の数をカウントするための記号を設けてなることを特徴とする請求項１〜４のいずれか１項に記載の使用済み医療用器具収納器。
【請求項６】
前記支持体を底部材と蓋部材とに二つ折りするために、底部材と蓋部材との間に設けられた折り目を有する辺以外の、底部材の３つの辺の少なくとも１辺に、さらに内側に折り曲げ可能な側壁が一体的に設けられてなり、前記側壁の折り曲げられた場合の側壁の上表面上に第３剥離紙層付きの第５粘着剤層が設けられていることを特徴とする請求項１〜５のいずれか１項に記載の使用済み医療用器具収納器。
【請求項７】
前記支持体の底部材と蓋部材との間に二つ折りできるように設けられた折り目が、その支持体の長辺の中央部分に短辺の端から端まで設けられたミシン目であることを特徴とする請求項１〜６のいずれか１項に記載の使用済み医療用器具収納器。
【請求項８】
前記使用済み医療用器具が、手術用針、替え刃式メスの刃部分、点滴針、及び手術の際に骨等の固定時に用いるネジやプレートやボルトの器具からなる医療用器具からなる群から選ばれることを特徴とする請求項１〜７のいずれか１項に記載の使用済み医療用器具収納器。
【発明の詳細な説明】
【技術分野】
【０００１】
本発明は、使用済み医療用器具収納器に関し、特に使用済みの手術用針、替え刃式メスの刃部分及び点滴針、手術の際に骨等の固定時に用いるネジや、プレートやボルト等の器具からなる医療用器具の収納器に関する。この点滴針には、手術の際の点滴に使用する場合も、その他の場合の点滴に使用する場合も含まれるものとする。
【背景技術】
【０００２】
医師が手術の際に縫合又は穿刺に用いる針については、医師や看護師が手術前に予め用意した針の本数を数えておき、縫合又は穿刺が終わる度に一つ一つ所定の容器内に置き、手術が終わった後にその本数を数え、本数があっていることを確認した後に纏めて処理している。この手術用針には尖鋭な小さなものが多いために、容器内に単に置くだけであると紛失し易く、その結果、手術前に確認した針の本数と合わなくなることがある。また、容器内に置く際に針で自分の手などを刺してしまうこともあるため、Ｃ型肝炎の発症者やエイズウイルス等の危険な疾病の感染者の手術をする場合、医療関係者への感染の可能性が生じる。
【０００３】
そのため、手術用針の場合は、縫合又は穿刺した後の針をスポンジやコルクなどに突き刺して、手術後にその本数を確認してから、処分することも行われているが、この際にも上記したような問題が生じる。
【０００４】
特に、医師が心臓疾患手術等の際に細い血管の縫合等で用いた使用後のマイクロ針（例えば、長さが３ｍｍ程度のものから、それ以下のものもある。）の場合、スポンジ等に突き刺すと、スポンジ等の内部に入り込んでしまい、手術後にその本数を確認することが困難になる。そのため、使用後のマイクロ針が確実に固定され、危険が防止されて確実に回収できると共に、脱落することもなく容易に収納され、本数を確認することができるマイクロ針収納器が求められている。
【０００５】
例えば、使用済みの手術用針の収納容器として、二つ折りにされたプラスチックシートからなり、上方シートは下方シートのフタ部を構成し、該下方シートはその三辺に側壁を有し、該側壁以外の該下方シートの内表面の少なくとも一部に第一接着テープが設けられ、該上方シートの少なくとも一辺の縁部に第二接着テープが設けられ、該第一接着テープの上又は下に所定の間隔を置いて平行に複数のゴムマグネット片が設けられ、そして該ゴムマグネット片の接着された下方シート上に剥離紙が設けられているものが知られている（例えば、特許文献１参照）。しかしながら、この収納容器は、必ずしもマイクロ針の収納には向いていない。ゴムマグネットを使用するため、磁力線の影響で周辺機器（電子機器）に弊害をもたらす恐れがあるからである。
【０００６】
また、医師が手術の際に用いるメス、例えば、替え刃式メスの刃部分についても上記した針の場合と同様に、本数の問題や感染の問題が起こる。メスは、最近は刃部分を取り替える替え刃式メスが主流であり、取り外した使用済みの刃部分が上記した針の場合と同様な問題を生じる。さらにまた、使用済みの点滴針についても、本数の問題や取り扱い不注意による感染の問題が起こり、上記した手術用針や替え刃式メスの刃部分等の場合と同様の問題をもたらす。
【先行技術文献】
【特許文献】
【０００７】
【特許文献１】特開２００２−２３８９１０号公報
【発明の概要】
【発明が解決しようとする課題】
【０００８】
縫合又は穿刺用の針、例えば、特に心臓疾患手術等の際に細い血管の縫合等で用いた使用後のマイクロ針や眼科等で用いた使用後のマイクロ針等の手術用針を単に容器内に置いたり、スポンジなどに突き刺したりして管理するだけでは、スポンジの中に針が埋まったり、針を紛失したり、針が確実に固定されずに脱落してしまい、安全・確実に回収することが困難であるということが問題になっている。このため、手術後の手術用針を安全に処置し、管理することが求められている。手術用の替え刃式メスの刃部分や点滴針や手術の際に骨等の固定時に用いるネジや、プレートやボルト等の医療用器具の場合も同様である。
【０００９】
本発明の課題は、手術後のマイクロ針等の手術用針や替え刃式メス（刃部分が取り替え可能なメスの取り外した刃部分）や使用後の点滴針等を安全に処置し、管理することができる使用済みの手術用針や替え刃式メスの刃部分や点滴針等の医療用器具の収納器を提供することにある。
【課題を解決するための手段】
【００１０】
本発明の使用済み医療用器具収納器は、底部材と蓋部材とからなる支持体を有し、この支持体の底部材の表面上に、第１粘着剤層、スポンジ層、第２粘着剤層、不織布層、使用済み医療用器具が載置される第３粘着剤層、及び第１剥離紙層をこの順番に設けてなる積層体を有し、この積層体の最上層の第１剥離紙層の上に前記蓋部材が設けられており、前記支持体は、同じ形状かつ同じ大きさの前記底部材と蓋部材とからなる長方形形状であって、その底部材と蓋部材との間に二つ折りできるように設けられた折り目を有し、この折り目により前記支持体を二つ折りできるように構成され、この二つ折りした一方を前記底部材とし、他方を前記蓋部材とする支持体であり、前記蓋部材で前記第１剥離紙層が覆われるように構成されてなり、前記第３粘着剤層の、前記折り目を設けた側の辺に向かい合った辺（反対側の辺）の少なくとも１つの隅部の粘着剤層上にこの隅部と同じ寸法の紙層を設けてなり、そして前記第１剥離紙層には、前記紙層を設けた隅部に対応する前記第１剥離紙層の隅部が前記第３粘着剤層に対して反対側に折り曲げられた折り曲げ部であって、前記第１剥離紙層を剥がすための把持部分を構成する折り曲げ部を設けてなり、さらに前記底部材の下表面の少なくとも一部に第４粘着剤層を設け、この第４粘着剤層の下表面に第２剥離紙層を設けてなることを特徴とする。
【００１１】
上記のように構成された使用済み医療用器具収納器を用いれば、使用後の、マイクロ針等の手術用針や、替え刃式メスから取り外した刃部分や、点滴針や、手術の際に骨等の固定時に用いるネジや、プレートやボルト等からなる医療用器具を安全に処置・管理することができると共に、その使用方法も簡便である。使用する場合には、第１剥離紙層を剥がし、第３粘着剤層の表面に、使用済み医療用器具を載置すれば良く、載置した医療用器具の上を蓋部材で覆って医療用器具を確実に収納することができる。また、本発明の医療用器具収納器の使用前に、第４粘着剤層の下表面に設けられた第２剥離紙層を剥がし、この収納器を、第４粘着剤層を介して手術台やその周辺の適宜の箇所に確実に取り付けることができるので、使用中にこの収納器が落下する恐れはない。
【００１２】
また、第１剥離紙層の折り曲げ部である把持部分を引っ張って、この剥離紙層を上方に簡単に持ち上げて一部又は全部を剥がし、第３粘着剤層の上に、使用済み医療用器具を載置することができるので、極めて簡便に使用できる。
【００１３】
本発明の使用済み医療用器具収納器において、前記第２剥離紙層の寸法を、前記第４粘着剤層の寸法よりも大きくして、その第２剥離紙層の一部が、前記底部材の一辺から突出するように構成されてなることを特徴とする。
【００１４】
このため、手術前に、前記突出する部分を持って第２剥離紙層を容易に剥がすことができ、本発明の使用済み医療用器具収納器を、露出した第４粘着剤層を介して所定の場所に簡単に固定できる。
【００１５】
前記支持体が、透光性ないしは透明のプラスチックから構成されていることを特徴とする。
【００１６】
上記したように、支持体が透光性ないしは透明のプラスチックから構成されているため、使用済み医療用器具収納器の蓋部材を開くことなく、載置され、固定された使用済みの、マイクロ針等の手術用針や、替え刃式メスの刃部分や、点滴針や、手術の際に骨等の固定時に用いるネジや、プレートやボルト等からなる医療用器具を外部から視認でき、固定した手術用針や、メスの刃部分や、点滴針等の存在及びその本数が一目で分かる。
【００１７】
前記第３粘着剤層の隅部、その上に貼付した紙層、及び第１剥離紙層の折り曲げ部（把持部分）が、三角形状であることを特徴とする。
【００１８】
前記不織布層の上で前記第３粘着剤層の下に、載置される使用済み医療用器具の数をカウントするための記号を設けてなることを特徴とする。
【００１９】
このため、この記号の順番に使用済み医療用器具を載置、固定すれば、第１剥離紙層及び支持体の蓋部材を被せた後でも、透光性ないしは透明のプラスチックから構成されている支持体の蓋部材を通して、また、下記したような材料からなる第１剥離紙層を通して、手術に使用した医療用器具の存在及び本数を一目で確実に視認できる。この場合、記号がなくても、また、記号の順番通りに固定しなくとも、少ない本数であれば簡単に一目で確実に視認できるので問題は生じない。
【００２０】
前記した医療用器具収納器において、さらに、前記支持体を底部材と蓋部材とに二つ折りするために、底部材と蓋部材との間に設けられた折り目を有する辺以外の、底部材の３つの辺の少なくとも１辺に、さらに内側（収納器内部側）に折り曲げ可能な側壁が一体的に設けられてなり、前記側壁の折り曲げられた場合の側壁の上表面上に第３剥離紙層付きの第５粘着剤層が設けられていることを特徴とする。
【００２１】
上記のような側壁を設けるように構成すれば、側壁がない場合と同様に第３粘着剤層と蓋部材とを接着できると共に、この側壁があるために、また、この側壁上の剥離紙層を剥がして露出した第５粘着剤層を介して側壁と蓋部材とを密着することができるために、医療用器具収納器を廃棄する際に、乱暴に取り扱ったとしても載置された医療用器具がこの収納器の外に落下する恐れはない。
【００２２】
前記支持体の底部材と蓋部材との間に二つ折りできるように設けられた折り目が、その支持体の長辺の中央部分（真ん中）に短辺の端から端まで設けられたミシン目であることを特徴とする。
【００２３】
前記使用済み医療用器具が、（マイクロ針等の）手術用針、替え刃式メスの刃部分及び点滴針、及び手術の際に骨等の固定時に用いるネジや、プレートやボルトの医療用器具からからなる群から選ばれることを特徴とする。
【発明の効果】
【００２４】
本発明の使用済み医療用器具収納器の使用方法は簡便であり、この収納器を用いれば、使用後の医療用器具を載置するだけでしっかり固定できて脱落することがないので、安全であり、また、使用後の医療用器具を紛失することもないので、確実に回収することができる。かくして、使用後の医療用器具を安全に処置し、管理することが可能になるという効果を奏する。その結果、本発明の医療用器具収納器を用いる医師や看護師が、使用後の、マイクロ針等の手術用針やメスの刃部分や点滴針等の医療用器具により傷つく恐れがなくなる。
【００２５】
本発明の使用済み医療用器具収納器を使用する場合には、先ずこの収納器を所定の場所に取り付けた後、蓋部材を開け、第１剥離紙層の折り曲げ部（把持部分）を引っ張ってこの剥離紙層を上方に持ち上げ、又は剥がし、露出した第３粘着剤層の表面に、使用済み医療用器具を載置、固定し、作業終了後に固定した医療用器具の上を蓋部材で覆うので、簡単に固定できると共に、医療用器具を確実に収納できるという効果を奏する。
【００２６】
また、本発明の医療用器具収納器を使用する際には、第４粘着剤層の裏面に設けられた第２剥離紙層を、その突出部分を持って剥がすことにより、この収納器を、第４粘着剤層を介して手術台やその周辺部分に確実に取り付けることができるので、手術中等に収納器が落下することもなく、安全であるという効果を奏する。
【００２７】
さらに、支持体が透光性ないしは透明のプラスチックから構成されているので、そして、剥離紙層も以下に述べるような材料から構成されているので、固定した医療用器具を外部から容易に視認でき、使用済み医療用器具の存在及びその本数を一目で確認することが可能であるという効果を奏する。
【００２８】
さらにまた、使用済み医療用器具をカウントするための記号を表示することができるので、収納した使用済み医療用器具の本数を外部から容易に視認することができるという効果を奏する。
【図面の簡単な説明】
【００２９】
【図１】本発明の使用済み医療用器具収納器の一構成例を、蓋部材を閉じた状態で模式的に示す側面図である。
【図２】図１に示す本発明の使用済み医療用器具収納器を、蓋部材を閉じた状態で模式的に示す平面図（ａ）及び底面図（ｂ）である。
【図３】図１に示す本発明の使用済み医療用器具収納器を、蓋部材を閉じた状態で模式的に示す斜視図である。
【図４】図１に示す本発明の使用済み医療用器具収納器の使用順序を模式的に示す斜視図であり、蓋部材を開き、第１剥離紙層を剥がし始めた状態を模式的に示す斜視図（ａ）、第１剥離紙層を剥がした後、使用済みの手術用針を載置、固定した状態を模式的に示す斜視図（ｂ）、そして蓋部材を被せて閉じた状態を模式的に示す斜視図（ｃ）である。
【図５】本発明の使用済み医療用器具収納器の別の構成例であって、底部材の３辺に折り曲げ可能な側壁を一体的に設けた収納器の使用順序を模式的に示す斜視図であり、蓋部材を開き、側壁を折り曲げていない状態を模式的に示す斜視図（ａ）、第１剥離紙層を剥がし、使用済みの手術用針を載置、固定した状態を模式的に示す斜視図（ｂ）、使用済みの手術用針を固定した後、側壁を折り曲げて、第３剥離紙層を剥がし、第５粘着剤層を露出せしめた状態を模式的に示す斜視図（ｃ）、そして折り曲げた側壁に対して蓋部材を被せ、蓋部材と側壁とを第５粘着剤層を介して接着せしめた状態を模式的に示す斜視図（ｄ）である。
【発明を実施するための形態】
【００３０】
本発明の使用済み医療用器具収納器に係わる一実施の形態によれば、この医療用器具収納器は、底部材と蓋部材とからなる支持体を有し、この支持体の底部材の上表面の上に、第１粘着剤層、スポンジ層、第２粘着剤層、不織布層、使用済み医療用器具が載置される第３粘着剤層、及び第１剥離紙層をこの順番で設けてなる積層体であって、好ましくは、この積層体の各要素の形状が同じであり（好ましくは、例えば正方形又は長方形である）、かつその大きさも同じである積層体を有し、この積層体の最上層の第１剥離紙層の上に蓋部材が設けられており、支持体は、同じ形状かつ同じ大きさの底部材と蓋部材とからなる長方形形状であって、その底部材と蓋部材との間に二つ折りできるように設けられた折り目（好ましくは、支持体の長辺の中央部分（真ん中部分）に短辺の端から端まで設けたミシン目、以下「ミシン目」として説明する。）を有し、このミシン目により二つ折りできるように構成され、その二つ折りした一方を底部材とし、そして二つ折りした他方を蓋部材とし、蓋部材で第１剥離紙層が覆われるように構成されてなり、底部材と蓋部材との間に設けられたミシン目の側の辺に向かい合った辺（反対側の辺）の少なくとも１つの隅部の第３粘着剤層上にこの隅部と少なくとも同じ寸法の紙層を設けてなり、そして第１剥離紙層には、この紙層の設けられた隅部に対応する第１剥離紙層の隅部が第３粘着剤層に対して反対側に折り曲げられた折り曲げ部であって、第１剥離紙層を剥がすための把持部分を構成する折り曲げ部が設けられており、底部材の下表面（裏面）の少なくとも一部に第４粘着剤層を設け、この第４粘着剤層の下表面（裏面）に第２剥離紙層を設け、第２剥離紙層の寸法を、第４粘着剤層の寸法よりも大きくして、その第２剥離紙層の一部が、底部材の一辺、好ましくは底部材と蓋部材との間に設けられたミシン目の側の辺以外の底部材の三辺の少なくとも一辺から、より好ましくはミシン目の側の辺に向かい合った反対側の辺から突出するように構成されてなり、支持体は、透光性ないしは透明のプラスチックから構成されている。
【００３１】
上記実施の形態において、第３粘着剤層の隅部、その上に貼付された紙層、及び第１剥離紙層の折り曲げ部（把持部分）が、三角形状であることが好ましく、さらに不織布層の上で第３粘着剤層の下に、載置される使用済み医療用器具の数をカウントするための記号が、公知の各種印刷等の所定の方法で表示されていることが好ましい。本発明で用いることができる医療用器具としては、例えば、マイクロ針等の手術用針や、手術用替え刃式メスから取り外した刃部分や、点滴針や、手術の際に骨等の固定時に用いるネジや、プレートやボルト等からなる医療用器具等を挙げることができる。
【００３２】
本発明の別の実施の形態に係る使用済み医療用器具収納器として、前記した実施の形態に係る医療用器具収納器に、さらに、支持体を底部材と蓋部材とに二つ折りした際の底部材と蓋部材との間に設けられたミシン目のある辺以外の底部材の三辺の少なくとも一辺に、好ましくは、この三辺のそれぞれに、内側に向かって（収納器内部に向かって）折り曲げ可能な適宜の高さの側壁が一体的に設けられてなり、そしてこの側壁の上表面上に好ましくは第３剥離紙層付きの第５粘着剤層が設けられてなる収納器を挙げることができる。この場合、使用済み医療用器具を載置して固定した収納器を廃棄する前に、この第３剥離紙層を剥がして、蓋部材を第５粘着剤層に接着させれば、乱暴に取り扱ったとしても載置、固定された医療用器具が落下する恐れはない。
【００３３】
上記剥離紙層は、透光性、透明、半透明のものが好ましい。
【００３４】
本発明の使用済み医療用器具収納器を構成する上記要素の内、スポンジ層としては、その材質には特に制限はないが、例えば、メラミン樹脂、ポリウレタン等の合成樹脂を発泡成形して作製した市販品の合成スポンジ（例えば、ＢＡＳＦ製メラミンフォーム（輸入元：イノアックコーポレーション、「ＢＡＳＯＴＥＣＴ／バソテクト（登録商標）」）等）を用いることができる。スポンジ層の厚さは、薄く、例えば、３ｍｍ程度にしたものを用いれば良い。また、不織布層としても、その材質には特に制限はないが、例えば、綿、羊毛、麻、パルプ、絹等からなる天然繊維や、レーヨン、ナイロン、ポリエステル、ポリプロピレン、アクリル、ビニロン、アラミド等からなる合成繊維から得られる市販品の不織布（例えば、ライオン株式会社製、商品名：リードクッキングペーパー等）を用いることができる。不織布層の厚さは、薄く、例えば、０．８〜０．９ｍｍ程度の厚さのものを用いれば良い。このようなスポンジ層及び不織布層を用いることにより、使用済み医療用器具を第３粘着剤層の上に載置した後、第１剥離紙層を被せ、次いで蓋部材で覆って押さえる場合に、スポンジ層があるために、この医療用器具は積層体内に向かって沈み、仮に針が立って載置されていても容易に横になり、しっかりと第３粘着剤層と接着して固定され、また、不織布層があるために、第３粘着剤層を通して積層体内部、特にスポンジ層中に潜り込むことはないので、安全に収納され、処理することができる。なお、上記不織布には、いわゆる市販のキッチンペーパーも含まれる。
【００３５】
次いで、本発明で用いる粘着剤層に関し説明する。特別の粘着剤・接着剤ではなく、底部材のプラスチック材料とスポンジ層とを、スポンジ層と不織布層とを、また、紙層を粘着・接着できる市販の両面接着テープ（以下、「両面テープ」と称する。）の粘着剤を用いることができる。本発明の使用済み医療用器具収納器は、後述するように、市販の両面テープ（特に制限されるわけではない）を用いて作製できる。例えば、恵比寿化成（株）製の両面テープ（品名７００−ＥＰＮＴ（アクリル系の粘着剤使用））等を用いて作製できる。
【００３６】
以下、図１〜５を参照して、本発明について詳細に説明する。各図面中、同じ構成要素には同じ参照番号を付してある。
【００３７】
図１に示すように、本発明の使用済み医療用器具収納器１００は、底部材１０１ａと蓋部材１０１ｂとからなる支持体１０１の底部材１０１ａの表面上に、第１粘着剤層１０２、スポンジ層１０３、第２粘着剤層１０４、不織布層１０５、使用済み医療用器具（例えば、マイクロ針等の手術用針、替え刃式メスから取り外した刃部分、点滴針等）が載置される第３粘着剤層１０６、及び第１剥離紙層１０７を、同じ大きさの形状（図１では、底部材１０１ａ、蓋部材１０１ｂ、第１粘着剤層１０２から第１剥離紙層１０７までを正方形（図２−４参照）として示してあるが、長方形でも良い）で、この順番に積層して、各粘着剤層で相互に接着して一体化してなる積層体を有してなり、この支持体１０１は、長方形形状であって、その長辺の中央部分（真ん中部分）の短辺の端から端までにわたって全体にミシン目（図４参照）が設けられ、このミシン目を折り目（境目）として支持体１０１を半分に折り曲げて、二つ折りできるように構成されている。この二つ折りした一方が底部材１０１ａとして、他方が蓋部材１０１ｂとして形成されている。この底部材１０１ａの下表面（裏面）の少なくとも一部に第４粘着剤層１０８を設けてなり、この第４粘着剤層１０８の下表面（裏面）に第２剥離紙層１０９が設けられている（図２（ｂ）参照）。この第２剥離紙層１０９は、その寸法が第４粘着剤層１０８の寸法よりも大きく、底部材１０１ａのいずれか一辺（好ましくは、底部材と蓋部材との間に設けられたミシン目のある側の辺に向かい合った反対側の辺）から突出するように設けられている。この突出部分（把持部分）を持って、第２剥離紙層１０９を容易に剥がせるように構成されている。第２剥離紙層１０９を剥がして、第４粘着剤層１０８を露出させ、本発明の使用済み医療用器具収納器を手術台やその周辺の適当な場所に接着させ、固定して使用することができる。なお、底部材及び蓋部材の大きさは、積層体の大きさと同じか、又は僅かに大きく構成されていることが好ましい。
【００３８】
また、図１に示すように、第３粘着剤層１０６の、底部材１０１ａと蓋部材１０１ｂとの間の折り目に設けられたミシン目（図４参照）側の辺に向かい合った反対側の辺の１つの隅部（三角形状）の粘着剤層上に、この粘着剤層の隅部と同じ大きさの紙層（三角形状）１１０が貼付されてなり、そして第３粘着剤層１０６の隅部に対応する第１剥離紙層１０７の隅部が、第３粘着剤層に対して反対側に折り曲げられて折り曲げ部１１１を形成している。この折り曲げ部１１１は、使用済み医療用器具を第３粘着剤層上に載置する際に第１剥離紙層１０７を剥がすための把持部分を構成している。図１及び以下説明する図２（ａ）等では、紙層１１０と折り曲げ部１１１との大きさをほぼ同じ大きさの三角形として示したが、紙層の方が大きくても、紙層の方が小さくても良い。この紙層の材料には特に制限はなく、下の第３粘着剤層の隅部に貼付できて、これを覆うことができる紙であればよい。
【００３９】
図２（ａ）及び図３に示すように、本発明の使用済み医療用器具収納器１００では、透光性ないしは透明な材料からなる蓋部材１０１ｂ及び第１剥離紙層１０７を通して、第３粘着剤層１０６（図示せず）の隅部上に貼付された三角形状の紙層１１０、第１剥離紙層１０７の隅部の折り曲げ部１１１である把持部分、及び記号１１２が視認できるようになっている。図２（ｂ）に示すように、第４粘着剤層１０８は底部材１０１ａの裏面の一部に設けられ、その第４粘着剤層の裏面上に、第２剥離紙層１０９が、好ましくは、その一方の端部が底部材１０１ａと蓋部材１０１ｂとの間に設けられたミシン目（境目）を有する辺に対向する反対側の辺から突出するように設けられている。第１粘着剤層１０２が底部材１０１ａを通して見えている。
【００４０】
本発明の使用済み医療用器具収納器の使用順序を模式的に示す斜視図である図４（ａ）〜（ｃ）に示すように、使用する場合には、まず第２剥離紙層１０９（図示せず）を剥がし、露出した第４粘着剤層１０８（図示せず）を介して収納器を手術台等の適宜の場所に固定し、蓋部材１０１ｂを開く。蓋部材１０１ｂを開いた後、第１剥離紙層１０７の折り曲げ部１１１を把持して第１剥離紙層１０７を第３粘着剤層１０６から剥がし始め、次いで、第１剥離紙層１０７を剥がした後、図４（ｂ）に示すように、使用済みの手術用針１１３を第３粘着剤層１０６上に載置し、固定し、全ての使用済みの手術用針を固定した後、図４（ｃ）（図中では、全ての使用済みの手術用針を示していない）に示すように、蓋部材１０１ｂを第３粘着剤層１０６上に被せて収納工程を完了する。剥した第１剥離紙層１０７は廃棄する。
【００４１】
次に、本発明の使用済み医療用器具収納器の別の構成例である、底部材１０１ａの３辺のそれぞれに折り曲げ可能な側壁１１４を一体的に設けた収納器の使用順序を模式的に示す図５（ａ）〜（ｄ）を参照して説明する。
【００４２】
図５（ａ）〜（ｄ）に示すように、上記した図１〜４に示す本発明の使用済み医療用器具収納器との違いは、底部材１０１ａの三辺（支持体１０１の底部材１０１ａと蓋部材１０１ｂとの間に設けられたミシン目側の辺以外の辺）に、内側（収納器内部）に向かって折り曲げ可能な適宜な高さ（底部材の縁部を覆う高さ）の側壁１１４を一体的に設けていることであり、残りの構成要素は同じである。この側壁１１４には、側壁を内側に向かって折り曲げた場合の側壁表面上に第５粘着剤層１１５、その上に第３剥離紙層１１６が設けられており、第３剥離紙層１１６を剥がし、露出した第５粘着剤層１１５を介して側壁と蓋部材の縁部とを接着できるようになっている。
【００４３】
底部材１０１ａに折り曲げ可能な３つの側壁１１４を一体的に設けた収納器を示す図５に関し、蓋部材１０１ｂを開いた状態を模式的に示す斜視図（図５（ａ））及び第１剥離紙層１０７を剥がし、使用済みの手術用針１１３を第３粘着剤層上に載置、固定した状態を模式的に示す斜視図（図５（ｂ））は、側壁１１４を除いて、上記した図４（ａ）及び（ｂ）の場合と同様であるので、説明を省略する。
【００４４】
図５（ｃ）に示すように、第５粘着剤層１１５及び第３剥離紙層１１６（図５（ｂ）参照）を備えた側壁１１４を内側に向かって折り曲げた後、第３剥離紙層１１６を剥がし、図５（ｄ）に示すように、蓋部材１０１ｂを被せて、蓋部材１０１ｂの縁部と側壁１１４とを第５粘着剤層１１５を介して接着せしめ、収納工程を完了する。
【００４５】
上記した本発明の使用済み医療用器具収納器を作製する方法には特に制限はなく、目的とする構造のものが得られればいかなる方法でも良い。その作製方法の好ましい一つの例を述べれば、例えば、半透明の所定寸法の長方形ポリプロピレンシートを支持体１０１として用い、この支持体１０１の長辺の中央部分（真ん中部分）の短辺の端から端まで、公知のミシン目カッターを用いてミシン目を形成し、このミシン目を境目として半分に二つ折りして、底部材１０１ａと蓋部材１０１ｂとを形成する。ミシン目カッターとしては、例えば、歯部分の幅が１〜２ｍｍ、好ましくは１．５ｍｍ程度、また、歯間隔が１〜３ｍｍ、好ましくは２．０ｍｍ程度の歯を有するミシン目カッターを用いてミシン目を形成しても良い。二つ折りが可能であればミシン目の大きさには特に制限はなく、このミシン目を境目として、支持体１０１を容易に半分に折り曲げ、底部材１０１ａと蓋部材１０１ｂとを形成することができれば良い。
【００４６】
かくして得られた底部材１０１ａの上表面に両面テープを貼付する。この両面テープは、底部材１０１ａとスポンジ層１０３とを接着できる市販の公知粘着剤を有する両面テープであれば良く、例えば、上記したような市販の両面テープを用いれば良い（以下用いる両面テープも同じである）。この両面テープを底部材１０１ａの上に貼付した後、その剥離紙を剥がしたものを第１粘着剤層１０２として使用することができる。この粘着剤層の表面上にスポンジ層１０３を接着し、次いでこのスポンジ層の表面上に両面テープを貼付し、次いで剥離紙を剥がし、露出した粘着剤層（第２粘着剤層）の上に不織布層１０５を積層し、スポンジ層と不織布層とを接着する。その後、不織布層１０５の表面上に、好ましくは、載置される使用済み医療用器具の数をカウントするための記号を公知の印刷法で印刷した後、その上に両面テープを貼付する。この場合の両面テープの粘着剤が第３粘着剤層１０６に相当し、この両面テープの剥離紙は剥がさず、第１剥離紙層１０７として用いる。この第３粘着剤層１０６の、底部材１０１ａと蓋部材１０１ｂとの間に設けられたミシン目の側の辺に向かい合った辺（反対側の辺）の１つの隅部（好ましくは、三角形状）の粘着剤層上にこの隅部と同じ形状及び大きさの紙層を貼付し、また、この紙層の貼付された隅部に対応する第１剥離紙層１０７の隅部を第３粘着剤層１０６に対して反対側に折り曲げて、第１剥離紙層１０７を剥がすための把持部分を構成する折り曲げ部（好ましくは、三角形状）を形成し、その後、折り曲げ部を有する第１剥離紙層１０７上を蓋部材１０１ｂで覆えば、本発明の使用済み医療用器具収納器を作製できる。かくして得られた収納器を必要に応じて滅菌し、袋詰めすれば製品となる。上記剥離紙層の材質は、特に制限はなく、例えば、通常用いられている透光性ないしは透明、半透明の剥離紙用紙（例えば、グラシン紙やパラフィン紙等）であってもよい。
【００４７】
また、図２（ｂ）に示すように、底部材１０１ａの下表面（裏面）には、適当な大きさに切った両面テープであって、第２剥離紙層１０９が第４粘着剤層１０８よりも大きくなるように形成した両面テープが貼付され、底部材１０１ａの一辺（例えば、底部材１０１ａと蓋部材１０１ｂとの間に設けられたミシン目を有する側の辺の反対側の辺）から突出するように形成されており、この突出部分（把持部分）を持って、第２剥離紙層１０９を容易に剥がし、露出した第４粘着剤層１０８を介して収納器を所定の場所に接着できるように構成されている。
【００４８】
支持体１０１の材質は特に制限されず、透明又は半透明のプラスチックを使用することができ、載置された医療用器具を外部から容易に視認でき、固定した医療用器具の存在及びその本数を一目で確認することが可能である素材であれば良い。例えば、公知の硬質プラスチック等、例えばポリプロピレン等であれば良い。
【００４９】
上記記号の表示方法はいかなる方法を用いても良く、例えば、数字等の記号を公知の印刷法に従って直接不織布層１０５の表面に印刷しても良い。また、表示した記号に合わせて区割り線を引いておくことが好ましい。このように構成することにより、載置・固定した使用済みの手術用針、替え刃式メスの刃部分、点滴針の本数をさらに容易に確認することが可能になる。
【００５０】
なお、図５に示す側壁を設けた使用済み医療用器具収納器も、上記の側壁を設けない使用済み医療用器具収納器の作製方法に準じて作製できる。側壁についても通常の方法により作製でき、また、その側壁に設ける第５粘着剤層及び第３剥離紙層についても、通常の方法により、両面テープを用いて同様に作製できる。
【００５１】
かくして製造された本発明の使用済み医療用器具収納器によれば、使用済み医療用器具が確実に固定され、容易に収納されるので、危険が防止され、確実に回収できる。さらに、第３粘着剤層上に完全に固定できるため、載置・固定された医療用器具が脱落することはない。この場合、使用済み医療用器具をカウントするための記号が表示されていれば、上記記号の順番に器具を固定することにより、支持体の蓋部材及び剥離紙層が、固定された器具を認識できる程度の材質（透光性を有する材質、透明な材質、半透明の材質）で構成されているので、外部から固定した器具の存在及びその本数が一目で分かる。
【産業上の利用可能性】
【００５２】
本発明によれば、外科手術の際の縫合又は穿刺用の針、特に心臓疾患手術等の際に細い血管の縫合等で用いた使用後のマイクロ針等の手術用針や、替え刃式メスの取り外した刃部分や点滴針等の医療用器具を安全に処置し、安全に管理することができるので、医療分野で有効に利用可能である。
【符号の説明】
【００５３】
１００  使用済み医療用器具収納器        １０１  支持体
１０１ａ  底部材                        １０１ｂ  蓋部材
１０２  第１粘着剤層                    １０３  スポンジ層
１０４  第２粘着剤層                    １０５  不織布層
１０６  第３粘着剤層                    １０７  第１剥離紙層
１０８  第４粘着剤層                    １０９  第２剥離紙層
１１０  紙層                            １１１  折り曲げ部
１１２  記号                            １１３  使用済みの手術用針
１１４  側壁                            １１５  第５粘着剤層
１１６  第３剥離紙層
【図１】
2018082935.tif 000003
【図２】
2018082935.tif 000004
【図３】
2018082935.tif 000005
【図４】
2018082935.tif 000006
【図５】
2018082935.tif 000007